(57)【特許請求の範囲】
【請求項１】
線材がらせん状に加工されたらせんと、該らせんを連結するロッドとから構成された搬送用ベルトにおいて、該搬送用ベルトの搬送面側に、線材がらせん状に加工された右巻きのらせんと、該らせんを連結すると共に該らせん同士を接する状態に維持する太さのロッドとから構成された基材と、線材がらせん状に加工された左巻きのらせんと、該らせんを連結すると共に該らせん同士を接する状態に維持する太さのロッドとから構成された基材の両者を連結して滑り止め用部品を構成し、該滑り止め用部品の両端を、該滑り止め用部品の総長さより短い距離で搬送用ベルトに係合したことを特徴とする搬送用ベルト。
【請求項２】
線材がらせん状に加工されたらせんと、該らせんを連結するロッドとから構成された搬送用ベルトにおいて、該搬送用ベルトの搬送面側に、線材がらせん状に加工された同一方向巻きのらせんと、該らせんを連結するロッドとから構成された滑り止め用部品を構成し、該滑り止め用部品の両端を、該滑り止め用部品の総長さより短い距離で搬送用ベルトに係合したことを特徴とする搬送用ベルト。
【請求項３】
請求項１において、当該滑り止め用部品の右巻きらせん部、または、左巻きらせん部を、搬送用ベルトに対して立てて搬送物の滑り止め面として設置し、該滑り止め面として使用されたらせんと逆巻きのらせん基材の長さを、滑り止め面に位置する基材の長さよりも長くして滑り止め面の支持部とし、滑り止め面に位置する基材に係合したことを特徴とする搬送用ベルト。
【請求項４】
線材がらせん状に加工されたらせんと、該らせんを連結するロッドとから構成された搬送用ベルトにおいて、該搬送用ベルトの搬送面側に、線材がらせん状に加工された同一方向巻きのらせん同士を絡めて連結された基材を滑り止め用部品として、該滑り止め用部品の両端を、該滑り止め用部品の総長さより短い距離で搬送用ベルトに係合したことを特徴とする搬送用ベルト。
【請求項５】
請求項１において、線材がらせん状に加工されたらせんと、該らせんを連結するロッドとから構成された基材または、線材がらせん状に加工され該らせん同士を絡めて連結された基材を補強板の周りに巻いた構造の搬送物の滑り止め用部品を取り付けたことを特徴とする搬送用ベルト。
【請求項６】
請求項３又は請求項４において、当該滑り止め用部品基材同士または他の部品を介して当該滑り止め用部品基材を溶接して形状を保持しやすくした滑り止め用部品を係合したことを特徴とする搬送用ベルト。
【請求項７】
請求項１から請求項６までに記載された請求項の一つに該当する搬送用ベルトを用いた搬送装置。
【発明の詳細な説明】
【技術分野】
【０００１】
本発明は、各種製品の製造工程等で用いられる搬送用ベルト、およびその搬送用ベルトを用いた搬送装置に関する。さらに詳しくは、各種製品の搬送、加熱、冷却、洗浄などの加工工程において用いられ、その表面に搬送物の滑り止めを目的とした部品を具備する搬送用ベルト、および搬送装置に関する。
【背景技術】
【０００２】
従来から、勾配のある場所で搬送する場合には、金属板等で作られた滑り止め用部品を具備する搬送用ベルトが利用されている。図２に示すように、従来は搬送用ベルト基材５と金属板等で作られた滑り止め部品９を滑り止め用部品取り付けボルト１０などで締結していた。また、線材がらせん状に加工されたらせんと該らせんを連結するロッドとから構成された基材を搬送物の滑り止め部品として用いた搬送用ベルトも提案されている（特許文献１）。
【特許文献１】：特公昭３１−５８１９
【発明の開示】
【発明が解決しようとする課題】
【０００３】
前記のような金属板等で作られた滑り止め用部品を具備する搬送用ベルトを用いることにより、勾配のある場所でも搬送物が滑り落ちることを防止できる。しかし、この場合には滑り止め部品９と搬送用ベルト基材５の隙間に搬送物が挟まったり、滑り止め用部品取り付けボルト１０の頭などによって搬送物が傷ついたりするなどの問題が指摘されていた。また、特許文献１が提案する滑り止め部品の場合には、滑り止め部品の形状が適切ではないために勾配のある場所では製品が滑り落ちたり、また滑り止め部品の強度が十分ではないために使用中に変形するなどの問題点があった。
【０００４】
本発明は、搬送物が滑り止め用部品と搬送用ベルトの間に挟まることなく、また搬送中に搬送物を傷つけることなく、勾配のある場所でも搬送物が滑り落ちずに安定的に搬送できる搬送用ベルトおよび搬送装置を開発するものである。
【課題を解決するための手段】
【０００５】
線材がらせん状に加工されたらせんと、該らせんを連結するロッドとから構成された搬送用ベルトにおいて、該搬送用ベルトの搬送面側に、線材がらせん状に加工された右巻きのらせんと、該らせんを連結すると共に該らせん同士を接する状態に維持する太さのロッドとから構成された基材と、線材がらせん状に加工された左巻きのらせんと、該らせんを連結すると共に該らせん同士を接する状態に維持する太さのロッドとから構成された基材の両者を連結して滑り止め用部品を構成し、該滑り止め用部品の両端を、該滑り止め用部品の総長さより短い距離で搬送用ベルトに係合したことを特徴として目的を達成した。
【０００６】
本発明は線材がらせん状に加工され、該らせん同士を絡めて連結されたベルト基材を用いた搬送用ベルトに関しても同様に適用可能であることは当該分野の同業者においては自明のことである。
【発明の効果】
【０００７】
従来の搬送用ベルトにおいて搬送物を傷つける要因となっていた、ベルト表面に突出するボルト等を使用することなく滑り止め部品を搬送用ベルトに固定し、なおかつ滑り止め部品と搬送用ベルトとの隙間をなくした搬送用ベルトの出現により、
1) 搬送物が滑り落ちずにベルト上に均一に積載されることにより、安定した搬送が可能になり、生産効率が高まる
2) 搬送用ベルトの搬送面にボルトなどの突起が存在しないため、搬送物の傷つきや滞留を防ぐことが出来る
3) 搬送用ベルトと滑り止め部品の隙間に搬送物が滞留しないため、歩留まり向上や搬送物を変更したときの異物混入が減少する
などの大きな効果が得られた。
【発明を実施するための最良の形態】
【０００８】
本発明の一例を図１に示す。右巻きらせん状に加工されたらせん１と左巻きらせん状に加工されたらせん２とロッド３によって連結構成された搬送用ベルト基材５が構成され、該搬送用ベルト基材５の搬送面側に、右巻きらせん状に加工されたらせん１とロッド４によって連結構成された滑り止め用部品基材６と、左巻きらせん状に加工されたらせん２とロッド４によって連結構成された滑り止め用部品基材７の、両基材からなる滑り止め用部品８をロッド３によって連結構成されている。
【０００９】
滑り止め用部品基材６または滑り止め用部品基材７において、らせん１またはらせん２同士を接する状態を維持できる太さのロッド４を使用することにより、滑り止め用部品基材６または滑り止め用部品基材７はその形状を維持でき、外力が働いたときにも元の形状に戻ろうとする。また、図８または図９のように、らせん１またはらせん２とロッド４を端部で溶接する際に左右端での溶接位置を前後にずらすことにより、形成された滑り止め用部品基材６または滑り止め用部品基材７は外力が働いたときに元の形状に戻ろうとする力がより強くなる。
【００１０】
このように復元力に富む該滑り止め用部品基材６と滑り止め用部品基材７を頂点でロッド４により連結した滑り止め用部品８をロッド３によって搬送用ベルト基材５に連結することにより、搬送物が載った状態でも滑り止め用部品がその形状を維持でき、勾配のある場所でも搬送物が滑り落ちずに安定した搬送が可能となる搬送用ベルトが実現した。さらに、滑り止め用部品８をロッド３によって搬送用ベルト基材５に連結することで、搬送面に突起がないため搬送物に傷をつけず、かつ滑り止め用部品と搬送用ベルト基材の間に隙間がないため搬送物が挟まることもない。なお、この滑り止め用部品８の幅は、搬送用ベルト基材５の幅と同じでも良いし、搬送用ベルト基材５の幅より狭くても良い。
【００１１】
滑り止め用部品基材６を搬送用ベルト基材５に対して直角に近い角度で立て、それを滑り止め用部品基材７で支えることにより、図１０のような傾斜角が大きな条件で搬送したときにも搬送物が転がりにくくなる。
【００１２】
本発明の他の一例を図３に示す。右巻きらせん状に加工されたらせん１と左巻きらせん状に加工されたらせん２とロッド３によって連結構成された搬送用ベルト基材５が構成され、該搬送用ベルト基材５の搬送面側に左巻きらせん状に加工されたらせん２とロッド４によって連結構成された滑り止め用部品１６をロッド３によって連結構成されている。なお、左巻きらせん状に加工されたらせん２の代わりに、右巻きらせん状に加工されたらせん１でも良い。
【００１３】
同一方向に巻いたらせんとロッドから構成される該滑り止め用部品１６において、らせん２同士を接する状態を維持できる太さのロッド４を使用することにより、滑り止め用部品１６はその形状を維持でき、外力が働いたときにも元の形状に戻ろうとする。また、図９のようにらせん２とロッド４を端部で溶接する際に左右端での溶接位置を前後にずらすことにより、形成された滑り止め用部品１６は外力が働いたときに元の形状に戻ろうとする力がより強くなる。
【００１４】
このように復元力に富む該滑り止め用部品１６をロッド３によって搬送用ベルト基材５に連結することにより、搬送物が載った状態でも滑り止め用部品がその形状を維持できるため、勾配のある場所でも搬送物が滑り落ちずに安定した搬送が可能となる。さらに、搬送面に突起がないため搬送物に傷をつけず、また滑り止め用部品と搬送用ベルト基材の間に隙間がないため搬送物が挟まることもない。なお、この滑り止め用部品１６の幅は、搬送用ベルト基材５の幅と同じでも良いし、搬送用ベルト基材５の幅より狭くても良い。
【００１５】
同一方向に巻いたらせんとロッドから構成される該滑り止め用部品についても、進行前側の一部を搬送用ベルト基材５に対して直角に近い角度で立てることにより、図１０のような傾斜角が大きな条件で搬送したときにも搬送物が転がりにくくなる。
【００１６】
本発明の他の一例を図４に示す。右巻きらせん状に加工されたらせん１と左巻きらせん状に加工されたらせん２とロッド３によって連結構成された搬送用ベルト基材５が構成され、該搬送用ベルト基材５の搬送面側に、左巻きらせん状に加工されたらせん２同士を絡めて連結構成された滑り止め用部品１７をロッド３によって連結構成されている。
【００１７】
前記の滑り止め用部品１７において、らせん２同士を端部で溶接する際に左右端での溶接位置を前後にずらすことにより、形成された滑り止め用部品１７は外力が働いたときに元の形状に戻ろうとする力がより強くなる。また、滑り止め用部品１７の溶接ビード同士を溶接したり、滑り止め用部品１７に補強板等を溶接することにより、形成された滑り止め用部品１７は外力が働いたときに元の形状に戻ろうとする力がより強くなる。
【００１８】
このように復元力に富む該滑り止め用部品１７をロッド３によって搬送用ベルト基材５に連結することにより、滑り止め用部品がその形状を維持できるため搬送物が滑り落ちずに安定した搬送が可能で、さらに搬送物に傷をつけず、搬送物が挟まることのない搬送用ベルトを実現した。なお、この滑り止め用部品１７の幅は、搬送用ベルト基材５の幅と同じでも良いし、搬送用ベルト基材５の幅より狭くても良い。
【００１９】
なお、この滑り止め用部品１７の進行前側の一部を搬送用ベルト基材５に対して直角に近い角度で立てることにより、図１０のような傾斜角が大きな条件で搬送したときにも搬送物が転がりにくくなる。
【００２０】
本発明の他の一例を図５に示す。右巻きらせん状に加工されたらせん１と左巻きらせん状に加工されたらせん２とロッド３によって連結構成された搬送用ベルト基材５が構成され、該搬送用ベルト基材５の搬送面側に右巻きらせん状に加工されたらせん１とロッド４によって連結構成された滑り止め用部品基材６と、左巻きらせん状に加工されたらせん２とロッド４によって連結構成された滑り止め用部品基材７と、補強板１４からなる滑り止め用部品１８をロッド３によって連結構成されている。
【００２１】
滑り止め用部品基材６または滑り止め用部品基材７において、らせん１またはらせん２同士を接する状態を維持できる太さのロッド４を使用することにより、滑り止め用部品基材６または滑り止め用部品基材７はその形状を維持でき、外力が働いたときにも元の形状に戻ろうとする。また、図８または図９のように、らせん１またはらせん２とロッド４を端部で溶接する際に左右端での溶接位置を前後にずらすことにより、形成された滑り止め用部品基材６または滑り止め用部品基材７は外力が働いたときに元の形状に戻ろうとする力がより強くなる。
【００２２】
このように復元力に富む該滑り止め用部品基材６と滑り止め用部品基材７と補強板１４を溶接により連結した滑り止め用部品１８をロッド３によって搬送用ベルト基材５に連結することによって、搬送面に突起が無く、その形状を維持できる搬送用ベルトを開発した。この滑り止め用部品１８の幅は、搬送用ベルト基材５の幅と同じでも良いし、搬送用ベルト基材５の幅より狭くても良い。
【００２３】
なお、この滑り止め用部品基材６を搬送用ベルト基材５に対して直角に近い角度で立て、それを滑り止め用部品基材７で支えることにより、図１０のような傾斜角が大きな条件で搬送したときにも搬送物が転がりにくくなる。
【００２４】
本発明の他の一例を図６に示す。右巻きらせん状に加工されたらせん１と左巻きらせん状に加工されたらせん２とロッド３によって連結構成された搬送用ベルト基材５が構成され、該搬送用ベルト基材５の搬送面側に右巻きらせん状に加工されたらせん１とロッド４によって連結構成された滑り止め用部品基材６と、左巻きらせん状に加工されたらせん２とロッド４によって連結構成された滑り止め用部品基材７とが、補強溶接１５によって溶接された滑り止め用部品１９をロッド３によって連結構成されている。
【００２５】
滑り止め用部品基材６または滑り止め用部品基材７において、らせん１またはらせん２同士を接する状態を維持できる太さのロッド４を使用することにより、滑り止め用部品基材６または滑り止め用部品基材７はその形状を維持でき、外力が働いたときにも元の形状に戻ろうとする。また、図８または図９のようにらせん１またはらせん２とロッド４を端部で溶接する際に左右端での溶接位置を前後にずらすことにより、形成された滑り止め用部品基材６または滑り止め用部品基材７は外力が働いたときに元の形状に戻ろうとする力がより強くなる。
【００２６】
このように復元力に富む該滑り止め用部品基材６と滑り止め用部品基材７を溶接により連結した滑り止め用部品１９をロッド３によって搬送用ベルト基材５に連結することによって、搬送面に突起が無く、その形状を維持できる搬送用ベルトを開発した。滑り止め用部品基材６と滑り止め用部品基材７の溶接位置は図６の通りでも良いし、さらに溶接箇所を増やしても良い。この滑り止め用部品１９の幅は、搬送用ベルト基材５の幅と同じでも良いし、搬送用ベルト基材５の幅より狭くても良い。
【００２７】
滑り止め用部品基材６を搬送用ベルト基材５に対して直角に近い角度で立て、それを滑り止め用部品基材７で支えることにより、図１０のような傾斜角が大きな条件で搬送したときにも搬送物が転がりにくくなる。
【００２８】
本発明の他の一例を図７に示す。右巻きらせん状に加工されたらせん１と左巻きらせん状に加工されたらせん２とロッド３によって連結構成された搬送用ベルト基材５が構成され、該搬送用ベルト基材５の搬送面側に右巻きらせん状に加工されたらせん１とロッド４によって連結構成された滑り止め用部品基材６と、左巻きらせん状に加工されたらせん２とロッド４によって連結構成された滑り止め用部品基材７と、補強部品１１からなる滑り止め用部品１２を連結構成されている。
【００２９】
このとき、滑り止め用部品基材６または滑り止め用部品基材７は補強部品１１の表面だけを覆っても良いし、底面まで覆っても良い。
これらの滑り止め用部品基材６と滑り止め用部品基材７と補強部品１１を連結した滑り止め用部品１２を搬送用ベルト基材５に連結することによって、搬送面に突起が無く、その形状を維持できる搬送用ベルトを開発した。この滑り止め用部品１２幅は、搬送用ベルト基材５の幅と同じでも良いし、搬送用ベルト基材５の幅より狭くても良い。
【産業上の利用可能性】
【００３０】
傷の付きやすい搬送物を傾斜搬送する搬送装置、搬送面の均一性を要求する搬送物を傾斜搬送する搬送装置として有効であると考えられる。
【図面の簡単な説明】
【００３１】
【図１】本発明を説明する図面
【図２】従来の締結方法
【図３】本発明に関する他の実施例
【図４】本発明に関する他の実施例
【図５】本発明に関する他の実施例
【図６】本発明に関する他の実施例
【図７】本発明に関する他の実施例
【図８】滑り止め用部品基材
【図９】滑り止め用部品基材
【図１０】本発明の使用例
【符号の説明】
【００３２】
１．らせん
２．らせん
３．ロッド
４．ロッド
５．搬送用ベルト基材
６．滑り止め用部品基材
７．滑り止め用部品基材
８．滑り止め用部品
９．滑り止め用部品
１０．滑り止め用部品取り付けボルト
１１．補強部品
１２．滑り止め用部品
１３．搬送物
１４．補強板
１５．補強溶接
１６．滑り止め用部品
１７．滑り止め用部品
１８．滑り止め用部品
１９．滑り止め用部品
【図１】
0005087331.tif 000002
【図２】
0005087331.tif 000003
【図３】
0005087331.tif 000004
【図４】
0005087331.tif 000005
【図５】
0005087331.tif 000006
【図６】
0005087331.tif 000007
【図７】
0005087331.tif 000008
【図８】
0005087331.tif 000009
【図９】
0005087331.tif 000010
【図１０】
0005087331.tif 000011